(57)【要約】【課題】デザイン性を有するだけでなく、バリエーションに富んだ任意の文字などの記号も付与可能としたスタンプを提供する。【解決手段】このスタンプは、印影（一次印影）が加工された印面１１を備えている。印面１１は、さらに印影を追加加工できる印影予定領域１１ｂを備えている。印影領域１１ａに予め模様のような一次印影を加工した複数種類のスタンプ（半製品）が店頭に陳列される。複数種類のスタンプ（半製品）から選択された一つのスタンプ（半製品）の印影予定領域１１ｂに文字や記号のような二次印影が追加加工される。【選択図】図１
0003188658.tif 000002
【実用新案登録請求の範囲】
【請求項１】
印影が加工された印面を有するスタンプであって、前記印面は、印影を追加加工できる印影予定領域を備えていることを特徴とするスタンプ。
【考案の詳細な説明】
【技術分野】
【０００１】
本考案は、印面を有するスタンプに関する。
【背景技術】
【０００２】
種々のスタンプが提供されているが、一般的なスタンプは、印面に文字や図柄などの一つの印影が加工されているだけである。特殊なスタンプとして、複数の文字や図柄などの印影を単一の印面に組み合わせて配置したものも提供されている（例えば、特許文献１参照）。この特殊なスタンプは、異なる印影を有する二つ以上の印面体を板状体の上に配置して単一の印面を形成したものとなっている。
【先行技術文献】
【特許文献】
【０００３】
【特許文献１】特開２００５−６６９４４号公報
【考案の概要】
【考案が解決しようとする課題】
【０００４】
ところで、これらのスタンプは、印面の全面に定形性のある印影が形成されているだけであるため、オリジナル性に欠けるものになっている。
【０００５】
そこで、本考案は、オリジナル性をもったスタンプを提供することを課題とする。
【課題を解決するための手段】
【０００６】
本考案に係るスタンプは、印影が加工された印面を有するスタンプであって、前記印面は、印影を追加加工できる印影予定領域を備えていることを特徴としている。
【０００７】
模様のような印影（一次印影）が予め加工された印面を有するスタンプ（半製品）が複数種類製作される。この複数種類のスタンプの中から選択された一つのスタンプの印影予定領域に文字や記号のような印影（二次印影）が加工される。したがって、このスタンプ（完成品）に備えられた印面は、一次印影が加工された後に二次印影が追加して加工されることで、オリジナル性のある印影（完成印影）を有するものとなる。
【考案の効果】
【０００８】
本考案によれば、オリジナル性をもったスタンプを提供することができる。
【図面の簡単な説明】
【０００９】
【図１】図１は、本考案に係るスタンプの一実施形態を示す概略斜視図である。
【図２】図２は、本考案に係るスタンプの一実施形態を示し、（ａ）〜（ｆ）は、異なる印面の例を示す正面図である。
【図３】図３は、本考案に係るスタンプの印面の印影予定領域に印影を追加加工した状態を示し、（ａ）〜（ｆ）は、異なる印面の例を示す正面図である。
【考案を実施するための形態】
【００１０】
本考案に係るスタンプの一実施形態について図１ないし図３を参照しながら説明する。このスタンプは、陳列台（図示せず）などを並べた店頭で販売される。スタンプは、図１に示すように、印面体１０と、この印面体１０に貼り合わせた本体２０とを備えている。
【００１１】
印面体１０は、例えばゴム製とされるが、印面１１を有する表面側１２と、本体２０に貼り合わされる裏面側１３との二層構造とされている。表面側１２は、耐摩耗性を向上させるため、比較的硬い材質とされている。また、裏面側１３は、印面体１０の一構成部分である印面１１を濃淡なく押すことができるように、比較的柔らかい材質とされている。なお、印面体１０は、すべて同じ材質としてもよい。
【００１２】
そして、印面１１は、図２に示すように、模様のような印影（一次印影）が予め加工された印影領域１１ａを備えている。一次印影は、印面１１の表面が削られることで形成され、凸となった部位にインクが付着する。ただし、凸となった部位の一部が印影予定領域１１ｂとされる。
【００１３】
また、印面１１として、図２（ａ）〜（ｆ）に示すような落款タイプ、ネームタイプ、メモタイプ、名刺タイプ、メッセージタイプなどの複数のタイプが提供される。したがって、この各タイプに適する一次印影を印面１１に加工した複数種類のスタンプ（半製品）が店頭に陳列される。
【００１４】
また、本体２０は、例えばアクリル製とされ、印面体１０の裏面側１３に貼り合わせる平板状の基部２１と、この基部２１の中心から突出した被把持部２２とを備えている。なお、本体２０は、基部２１を厚くすることで、被把持部２２を備えないようにしてもよい。
【００１５】
上記スタンプ（半製品）は、店頭において陳列され、複数種類のスタンプ（半製品）の中から一つのスタンプ（半製品）が買物客（ユーザ）によって選択される。この選択されたスタンプ（半製品）の印面体１０に備えられた印影予定領域１ｂに二次印影が加工される。
【００１６】
印面予定領域１１ｂは、凸の部位であるから、削ることで二次印影を加工することができる。なお、一次印影も二次印影も加工されない部位は、当然ながら削られ、インクが付着しない凹部とされる。
【００１７】
二次印影は、図３（ａ）〜（ｆ）に示すような氏名やメッセージ（図２は、実際と異なり、文字が反転していない。）、図示しない住所、電話番号、電子メールアドレスのような文字、あるいは、簡単な図形のような記号とされ、レーザ光によって加工される。
【００１８】
レーザ光は、コンピュータ（図示せず）によって制御されるレーザ加工機から照射される。コンピュータに制御されるレーザ光によって、繊細な文字や記号のような二次印影を印面１１の印影予定領域１１ｂに追加加工することができる。また、コンピュータを使用することで、文字のフォントも選択することができる。なお、レーザ加工する前に、二次印影のみ、又は一次印影と二次印影とを組み合わせた印影（完成印影）は、コンピュータに備えられたディスプレイで確認できる。
【００１９】
以上のように、模様のような一次印影が印面１１の印影領域１１ａに予め加工された複数種類のスタンプ（半製品）の中から一つのスタンプ（半製品）が選択され、この選択されたスタンプ（半製品）の印面１１の印面予定領域１１ｂに文字や記号のような二次印影が加工されることで、印面１１には、一次印影と二次印影とを組み合わせた印影（完成印影）が加工される。
【００２０】
この完成印影は、複数種類の中から選択された模様のような一次印影と、文字や図形のような二次印影とを組み合わせたものであることから、オリジナル性を有するものとなる。このような完成印影を加工した印面１１を有する印面体１０の裏面側１３に本体２０が貼り合わされることで、完成したスタンプとなる。
【００２１】
なお、本考案は、上記実施形態に限定することなく、種々変更することができる。図示した一次印影や二次印影は、例示であることはいうまでもなく、例示していない種々の一次印影や二次印影を加工することができ、二次印影においても、文字や記号に替え、あるいは、文字や記号とともに模様を加工することもできる。
【００２２】
また、加工予定領域１１ｂには、レーザ加工でなく、手彫りで二次印影を加工してもよい。あるいは、一次印影を加工した印面１１は、印影予定領域１１ｂも印面１１を削った凹部とし、この凹部に二次印影を盛るようにして追加加工してもよい。
【符号の説明】
【００２３】
１０…………印面体
１１…………印面
１１ａ………印影領域
１１ｂ………印影予定領域
【図１】
0003188658.tif 000003
【図２】
0003188658.tif 000004
【図３】
0003188658.tif 000005